(57)【特許請求の範囲】
【請求項１】
一対の側壁と、この一対の側壁間に設けられる天板とを有し、内部に撮影室が設けられた筐体と、
上記筐体の背面側に配設され、上記撮影室内の被写体を撮影する撮影手段と、
上記撮影手段の下側に設けられ、上記被写体を係合させて上記被写体の撮影位置を決めるための位置決め凹部と、
上記位置決め凹部に設けられ、上記被写体が上記位置決め凹部に係合していることを検出して、上記撮影室内の被写体を検出する被写体検出手段と、
上記筐体に配設され、上記撮影手段が撮影した被写体を印画紙に印刷し、この被写体が印刷された印画紙を排出部に排出する印刷手段と、
上記撮影手段と対向するように、上記筐体の上記背面側と対向する前面側の天板に設けられた遮光部材とを備え、
上記筐体の一対の側壁は、一方の側壁が他方の側壁より短くなるように形成されていると共に、上記筐体の底面は、設置面と略面一となるように形成され、
上記一方の側壁の端部から上記他方の端部に亘る領域が被写体の上記撮影室への入り口とされ、
上記被写体検出手段で上記被写体が上記位置決め凹部に係合していることを検出した後に撮影動作を行う撮影装置。
【請求項２】
上記筐体の撮影室は、底面が開放されて上記設置面で構成されている請求項１記載の撮影装置。
【請求項３】
上記他方の側壁には、この側壁を上記設置面に固定する転倒防止部材が設けられる請求項２記載の撮影装置。
【請求項４】
上記他方の側壁には、上記被写体となる人物が着座する椅子が上記撮影室より待避可能に設けられている請求項２記載の撮影装置。
【請求項５】
上記椅子は、垂直方向に回動して、待避位置において、上記他方の側壁と略平行な状態となる請求項４記載の撮影装置。
【請求項６】
上記椅子は、水平方向に回動して、待避位置において、上記撮影室外に位置する請求項４記載の撮影装置。
【請求項７】
上記筐体には、上記椅子が待避位置に移動したことを検出する検出手段が設けられている請求項４記載の撮影装置。
【請求項８】
上記筐体には、手摺りが設けられている請求項２記載の撮影装置。
【請求項９】
上記筐体の天板は、上記側壁より軽い材料で形成されている請求項１記載の撮影装置。
【請求項１０】
上記遮光部材は、撮影時被写体の背景部となり、この背景部を除く領域に略垂直方向のスリットが設けられている請求項１記載の撮影装置。
【請求項１１】
上記遮光部材は、上記入口を開閉する方向に移動可能である請求項１記載の撮影装置。
【請求項１２】
一対の側壁と、この一対の側壁間に設けられる天板とを有し、一方の側壁が他方の側壁より短くなるように形成されていると共に、上記筐体の底面が設置面と略面一となるように形成され、内部に撮影室が設けられ、前面側から上記一方の側壁の端部に亘る領域が被写体の上記撮影室への入り口とされる筐体と、
上記筐体の前面側と対向する背面側に配設され、上記撮影室内の被写体を撮影する撮影手段と、
上記撮影手段の下側に設けられ、上記被写体を係合させて上記被写体の撮影位置を決めるための位置決め凹部と、
上記位置決め凹部に設けられ、上記被写体が上記位置決め凹部に係合していることを検出して、上記撮影室内の被写体を検出する被写体検出手段と、
上記筐体に配設され、上記撮影手段が撮影した被写体を印画紙に印刷し、この被写体が印刷された印画紙を排出部に排出する印刷手段と、
上記撮影室の入り口を閉塞するように、上記筐体の前面側の天板に設けられた遮光部材と、
上記撮像手段の近傍であって、上記筐体の一方の側壁側に設けられる操作手段とを備え、
上記被写体検出手段で上記被写体が上記位置決め凹部に係合していることを検出した後に撮影動作を行う撮影装置。
【請求項１３】
上記筐体の撮影室は、底面が開放されて上記設置面で構成されている請求項１２記載の撮影装置。
【請求項１４】
上記他方の側壁には、この側壁を上記設置面に固定する転倒防止部材が設けられる請求項１３記載の撮影装置。
【請求項１５】
上記他方の側壁には、上記被写体となる人物が着座する椅子が上記撮影室より待避可能に設けられている請求項１３記載の撮影装置。
【請求項１６】
上記椅子は、垂直方向に回動して、待避位置において、上記他方の側壁と略平行な状態となる請求項１５記載の撮影装置。
【請求項１７】
上記椅子は、水平方向に回動して、待避位置において、上記撮影室外に位置する請求項１５記載の撮影装置。
【請求項１８】
上記筐体には、上記椅子が待避位置に移動したことを検出する検出手段が設けられている請求項１５記載の撮影装置。
【請求項１９】
上記筐体には、手摺りが設けられている請求項１３記載の撮影装置。
【請求項２０】
上記筐体の天板は、上記側壁より軽い材料で形成されている請求項１２記載の撮影装置。
【請求項２１】
上記遮光部材は、撮影時被写体の背景部となり、この背景部を除く領域に略垂直方向のスリットが設けられている請求項１２記載の撮影装置。
【請求項２２】
上記遮光部材は、上記入口を開閉する方向に移動可能である請求項１２記載の撮影装置。
【発明の詳細な説明】
【０００１】
【発明の属する技術分野】
本発明は、証明写真を撮ることができる撮影装置に関する。
【０００２】
【従来の技術】
従来、図１５に示すように、証明写真を撮る撮影装置１００は、略矩形の筐体１０１を有し、この筐体１０１には、内部に撮影室１０２が設けられている。この筐体１０１には、撮影室１０２に入った被写体となる人物の顔を撮影する撮影部１０３と、撮影部１０３が撮影した画像を印刷するプリンタ１０４とが内蔵されている。また、筐体１０１には、撮影室１０２に入るための入り口１０５が設けられており、入り口１０５には、遮光カーテン１０６が取り付けられている。また、撮影室１０２には、被写体となる人物が着座する椅子１０７が設けられている。更に、撮影装置１００には、被写体を照射する照明器具１０９が設けられている他、図示しないコイン投入口や金庫等が設けられている。
【０００３】
このような撮影装置１００では、入り口１０５より被写体となる人物が撮影室１０２に入って椅子１０７に着座すると、撮影準備が完了した状態となる。そして、撮影装置１００では、椅子１０７に座っている被写体をフラッシュ撮影し、この撮像データをプリンタ１０４で出力する。
【０００４】
【発明が解決しようとする課題】
ところで、医療の分野において、医師や看護婦等の医療関係者は、カルテ、診察券等で患者を特定する必要がある。そこで、患者の顔写真をカルテ、診察券等に貼着して、医療関係者が患者を間違えて処方等をしないようにしている。カルテ、診察券等に貼着する顔写真の撮影は、上述した撮影装置１００が用いられている。
【０００５】
また、患者の中には、移動に車椅子や松葉杖が必要な者もいる。上述した撮影装置１００は、入り口１０５と設置面１１０との間に段差１０８があり、また、入り口１０５も外光が撮影室１０２内に極力入らないようにするために狭いものとなっている。このため、移動に車椅子や松葉杖を必要とする患者は、写真を撮るときに、入り口１０５より撮影室１０２に入りづらい。
【０００６】
また、撮影装置１００には、撮影室１０２に椅子１０７が設置されていることから、車椅子に乗った患者は、車椅子から椅子１０７に移る必要があり、その移動は大変なものである。また、撮影室１０２内は、人が座って写真撮影するのに必要な空間しか有していないことから、患者の介護者は、撮影時患者を補助するために撮影室１０２に共に入ることは困難であり、患者に代わって撮影装置１００を操作することも面倒なものとなっていた。
【０００７】
本発明は、以上のような課題に鑑みてなされたものであり、その目的は、車椅子等に乗った身体障害者であっても、証明写真等を容易に撮影することができるブース型の撮影装置を提供することにある。
【０００８】
また、本発明の他の目的は、被写体となる人物の介護者等も容易に操作することができる撮影装置を提供することにある。
【０００９】
更に、本発明の他の目的は、設置面に安定して設置することができる上記目的に用いる撮影装置を提供することにある。
【００１０】
【課題を解決するための手段】
本発明に係る撮影装置は、上述した課題を解決すべく、一対の側壁と、この一対の側壁間に設けられる天板とを有し、内部に撮影室が設けられた筐体と、筐体の背面側に配設され、撮影室内の被写体を撮影する撮影手段と、撮影手段の下側に設けられ、被写体を係合させて被写体の撮影位置を決めるための位置決め凹部と、位置決め凹部に設けられ、被写体が位置決め凹部に係合していることを検出して、撮影室内の被写体を検出する被写体検出手段と、筐体に配設され、撮影手段が撮影した被写体を印画紙に印刷し、この被写体が印刷された印画紙を排出部に排出する印刷手段と、撮影手段と対向するように、筐体の背面側と対向する前面側の天板に設けられた遮光部材とを備え、筐体の一対の側壁は、一方の側壁が他方の側壁より短くなるように形成されていると共に、筐体の底面は、設置面と略面一となるように形成され、一方の側壁の端部から他方の端部に亘る領域が被写体の撮影室への入り口とされ、被写体検出手段で被写体が位置決め凹部に係合していることを検出した後に撮影動作を行う。
【００１１】
また、本発明に係る撮影装置は、上述した課題を解決すべく、一対の側壁と、この一対の側壁間に設けられる天板とを有し、一方の側壁が他方の側壁より短くなるように形成されていると共に、筐体の底面が設置面と略面一となるように形成され、内部に撮影室が設けられ、前面側から一方の側壁の端部に亘る領域が被写体の撮影室への入り口とされる筐体と、筐体の前面側と対向する背面側に配設され、撮影室内の被写体を撮影する撮影手段と、撮影手段の下側に設けられ、被写体を係合させて被写体の撮影位置を決めるための位置決め凹部と、位置決め凹部に設けられ、被写体が位置決め凹部に係合していることを検出して、撮影室内の被写体を検出する被写体検出手段と、筐体に配設され、撮影手段が撮影した被写体を印画紙に印刷し、この被写体が印刷された印画紙を排出部に排出する印刷手段と、撮影室の入り口を閉塞するように、筐体の前面側の天板に設けられた遮光部材と、撮像手段の近傍であって、筐体の一方の側壁側に設けられる操作手段とを備え、被写体検出手段で被写体が位置決め凹部に係合していることを検出した後に撮影動作を行う。
【００１２】
【発明の実施の形態】
以下、本発明に係る撮影装置が適用された撮影装置について、図面を参照して説明する。
【００１３】
図１乃至図３に示すように、本発明を適用した撮影装置１は、病院等に設置されて患者等の顔写真を撮影するために用いられる写真ブースを構成するものであり、本体部を構成する筐体１１を有する。この筐体１１は、背面部１２に相対向して設けられる側壁１３，１４と、側壁１３，１４間を閉塞し天井を構成する天板１５とを有し、背面部１２と一対の側壁１３，１４と天板１５とで構成される空間部に撮影室１６が設けられている。
【００１４】
被写体となる人物が撮影室１６に入ったときに対向する背面部１２には、その内部に、被写体を撮影するための撮像部１７、撮像部１７が撮影した画像を印刷するプリンタ１８，１９、撮像部１７の出力である画像信号をアナログ信号からディジタル信号に変換する等の画像処理を行う画像処理回路、全体の動作を制御する制御回路等の様々な電気回路が組み込まれたメイン基板２１等が内蔵されている。撮像部１７は、ＣＣＤ（Charge-Coupled Device）等の撮像素子を有する撮像装置１７ａと、撮影室１６の被写体となる人物と向き合う面に設けられるハーフミラー１７ｂと、ハーフミラー１７ｂを透過した光を反射する反射板１７ｃとを有する。ハーフミラー１７ｂは、被写体を撮影するとき、ハーフミラー１７ｂで被写体からの光を所定量反射させることで被写体となる人物が自分の顔を見ることができるようにすると共に、残りの光を透過し、撮像装置１７ａが被写体を取り込むことができるようにする。ハーフミラー１７ｂを透過した光は、反射板１７ｃで反射されて撮像装置１７ａへと導かれ、これによって、撮像装置１７ａは、被写体を撮影する。撮像装置１７ａからの出力は、メイン基板２１の画像処理回路に出力され、ディジタル処理がなされ、これをプリンタ１８若しくは１９に出力する。
【００１５】
第１のプリンタ１８は、通常使用するメインプリンタであり、第２のプリンタ１９は、第１のプリンタ１８が故障したとき等に使用される補助プリンタである。ディジタル信号に変換された画像データは、第１のプリンタ１８若しくは第２のプリンタ１９に出力され、プリンタ１８，１９で印画紙に印刷される。その他に、筐体１１を構成する背面部１２には、電源スイッチ２０ａ、金庫２０ｂ等が内蔵されている。
【００１６】
側壁１３，１４は、このような背面部１２と一体的に、互いに略平行となすように設けられている。背面部１２を構成する外壁と共に側壁１３，１４は、鉄板等比較的比重の重い材料で形成することで、筐体１１の下側を重くし、安定して設置面２に設置できるように形成されている。一方の側壁１３は、他方の側壁１４より短くなるように形成されている。筐体１１は、長い側の他方の側壁１４が、壁に沿うように設置される。短い側となる一方の側壁１３には、設置面２と接続する転倒防止部材２２が取り付けられる。転倒防止部材２２は、設置面２、一方の側壁１３のそれぞれをねじ止め等することで、筐体１１が一方の側壁１３側から押されたときにも倒れないようにしている。そして、他方の側壁１４は、一方の側壁１３より長く形成することで、一方の側壁１３側から力が加えられたときにも、筐体１１を十分支持できるように形成されている。
【００１７】
側壁１３，１４間に取り付けられる天板１５は、撮影室１６の天井を構成するものであり、長手方向の長さが長い側となる他方の側壁１４と略同じ若しくは他方の側壁１４よりやや長く形成されている。ここで、天板１５は、ポリプロピレン等の樹脂材料で形成されている。すなわち、天板１５は、側壁１３，１４に比べて比重の軽い材料で形成されている。筐体１１は、側壁１３，１４を含む周面を鉄板等の比較的比重の重い材料で形成し、上方に位置する天板１５を比重の比較的軽い材料で形成し、下側が重くなるように形成することで、安定して設置面２に設置できるようになっている。
【００１８】
撮影室１６は、以上のような背面部１２と一体的に形成される一対の側壁１３，１４と天板１５とで構成され、一方の側壁１３の端部と他方の側壁１４の端部との間が撮影室１６の入り口２３とされている。すなわち、被写体となる人物は、筐体１１の前面側からと一方の側壁１３側から撮影室１６に入ることができるようになっている。筐体１１は、底板が設けられておらず、従って、撮影室１６の床は、設置面２となっており、撮影室の床は、設置面２と面一になっている。したがって、従来のように、撮影室１６の入り口２３には、段差が無く、車椅子等に乗った患者も、車椅子等に乗ったまま撮影室１６に入ることができる。
【００１９】
ここで撮影室１６の詳細を説明すると、撮影室１６には、長い側の他方の側壁１４に回動支持された椅子２４が設けられている。この椅子２４には、被写体となる人物が座る。この撮影室１６には、車椅子等に乗った患者も入り口２３より入ることがあり、この場合は、椅子２４が邪魔となる。そこで、この椅子２４は、長い側の他方の側壁１４側に倒すことができ、撮影室１６より待避させることで、車椅子の患者が撮影室１６に入ることができるようになっている。また、この椅子２４の高さは、車椅子の座る部分と略同じ高さとなっている。撮像部１７は、機構を簡素化するため、位置を変えることはできず固定となっている。被写体となる人物には、車椅子に乗った者と乗っていない者とがおり、それによって、顔の高さは異なる。そこで、椅子２４は、車椅子の高さと略同じとすることで、車椅子に乗っていない者が椅子２４に座ったときの顔の高さと車椅子に乗った者の顔の高さとが略同じになるようにし、撮像部１７が固定であっても確実に被写体となる人物の顔を確実に撮影することができるようにしている。なお、椅子２４の隣には、物置台２５が設けられおり、被写体となる人物が鞄等を置くことができるようになっている。
【００２０】
椅子２４に座った若しくは撮影室１６に入った車椅子に乗った患者と対向する第１の面１６ａは、撮像部１７を構成する撮像装置１７ａの光軸と垂直となるように形成されており、この面の被写体となる人物の顔と対向する位置には、撮像部１７を構成する略矩形のハーフミラー１７ｂが設けられている。このハーフミラー１７ｂは、椅子２４に座った若しくは車椅子に座っている患者がハーフミラー１７ｂで自分の顔を見ながら撮影を行うことができるようになっている。
【００２１】
このハーフミラー１７ｂが設けられた第１の面１６ａと左右に隣り合う第２及び第３の面１６ｂ，１６ｃは、互いに向き合う方向に、第１の面１６ａに対して傾斜するように設けられている。これら第２及び第３の面１６ｂ，１６ｃには、被写体となる人物を照らす照明器具２６，２７が設けられている。照明器具２６，２７は、発光体が内蔵されており、撮影時に点灯されることで、フラッシュ撮影を行うことができるようになっている。照明器具２６，２７は、従来、被写体の正面上方から光を照射していたのに対して、被写体の左右斜め前方から光を被写体に光を照射するようにし、被写体の顔の額と顎との間、すなわち顔の上下で照明差が発生しないようにし、また、しわに影が発生することを防止してしわが目立たないようにしている。
【００２２】
ところで、図４に示すように、第２の面１６ｂに設けられた照明器具２６と第３の面１６ｃに設けられた照明器具２７とは、撮像装置１７ａの光軸Ｌと椅子のセンタＯ１とを結ぶ線と照明器具２６，２７のセンタＯ２，Ｏ３と椅子２４のセンタＯ１とを結ぶ線とがなす角θ１，θ２を有するように設けられている。θ１，θ２は、撮影時に、顔に滑らかな影ができ、眼鏡に照明の写り込みが無く、背景に影が出にくい角度に設定され、例えば３０°〜７０°、好ましくは５０°とされる。
【００２３】
また、写真に写し出された顔は、一般に左右で照明差があった方が看者によく見えるものである。そこで、照明装置２６，２７は、照明差が発生するように被写体を照射するようにしている。例えば、照明器具２６，２７は、照明差が例えば１：１．５〜１：３、好ましくは１：２となるように被写体を照射する。なお、光を強くする方の照明器具は、何れであってもよい。これによって、写真は、柔らかな影が形成され、平面的でなく立体的に被写体を写し出すことができる。なお、この撮影装置１では、撮像部１７の撮像装置１７ａにＣＣＤを用いている。ＣＣＤは、銀塩フィルムを用いるカメラ（銀塩カメラ）に比べてラティチュード（latitude）が狭い。そこで、この照明差は、銀塩カメラに比べて比が小さくなるように設定される。
【００２４】
なお、効果確認として、図５に被写体に対して光を、被写体の正面上方から照射して撮影した図を示し、図６に、照明器具２６，２７を用いて被写体の左右斜め前方から光を照射して撮影した図を示す。これらを比較すると、図６の方が被写体の額のしわは目立っていない。これは、上述したように、被写体の左右斜め前方から光を照射することで、顔の上下で照明差が無くなり、また、しわに影が発生しなくなるためである。
【００２５】
なお、更に、この撮影室１６には、照明器具２６，２７他に、被写体を下側から照射する照明器具２８が設けられている。この照明器具２８は、第１の面１６ａであってハーフミラー１７ｂの下側に撮影室１６側に突出して形成された突出部２８ａの上側の面２８ｂに設けられ、照射方向が斜め上方となるように設けられている。
【００２６】
また、撮影室１６には、図１乃至図３に示すように、被写体の正面側であって、一方の側壁１３側に操作部を構成する料金投入部２９が設けられている。料金投入部２９は、コインを投球するコイン投入部２９ａと紙幣を投入する紙幣投入部２９ｂとからなり、これら投入部２９ａ，２９ｂは、人が椅子２４座ったとき、手で料金を投入し易い高さに設けられている。椅子２４は、上述したように車椅子の高さに合わせて設けられていることから、車椅子に乗った人も、容易に料金投入部２９に料金を投入することができる。なお、本例では、操作部として、料金投入部２９が設けられているのみであるが、その他に、撮影を開始する撮影開始ボタン、撮影した画像をプリンタ１８，１９で印刷する前に確認する確認ボタン等を設けるようにしてもよく、この場合、これらのボタンも、被写体の正面側であって、一方の側壁１３側に設けられる。
【００２７】
突出部２８ａの下側には、被写体となる人の撮影位置を位置決めするための位置決め凹部３１が設けられている。この位置決め凹部３１が設けられる位置は、椅子２４又は車椅子に座った人の膝を収めることができる高さに設けられている。撮影をするとき、被写体となる人は、椅子２４に座り、又は、撮影室１６に車椅子で入り口２３より入り、膝を位置決め凹部３１に係合させることによって、容易に撮影位置を位置決めすることができる。すなわち、被写体となる人は、膝を位置決め凹部３１に係合させることによって、ハーフミラー１７ｂに対して正面を向くようになる。
【００２８】
また、撮影室１６には、撮影室１６に被写体が入ったかどうかを検出する被写体検出部３２が設けられている。被写体検出部３２は、天板１５の椅子２４の上に設けられ、被写体が撮影位置に居ることを検出することができるようになっている。被写体検出部３２は、被写体を検出すると、この検出信号を、メイン基板２１の制御回路に出力し、待機モードから写真撮影モードに切り換える。
【００２９】
なお、この被写体検出部３２は、上述した位置決め凹部３１内に設けるようにしてもよい。天板１５に被写体検出部３２を設けたときには、例えば被写体となる人が撮影室１６内で立っているとき等実際には撮影位置に居ないときも被写体を検出してしまうが、被写体検出部３２を位置決め凹部３１内に設けたときには、膝が位置決め凹部３１に係合していない限り被写体を検出することができないことから、確実に撮影位置にある被写体を検出することができる。
【００３０】
天板１５の入り口２３となる領域には、図示しないカーテンレールやフックが設けられており、このカーテンレールやフックには、遮光部材となるカーテン３３が垂下されており、入り口２３を開閉できるようになっている。このカーテン３３は、遮光性のものであり、撮影時に外光が撮影室１６内に入らないようにしている。このカーテン３３は、図７に示すように、撮影室１６へ出入りするときには簡単に移動させて容易に入ることができる。カーテン３３をフックに固定したときには、正面入口のカーテン３３にスリット３３aを設けることにより入りやすくなる。カーテン３３の撮影室１６側の面であって、被写体の背後となる領域は、写真の背景となる領域である。このため、スリット３３ａは、写真の背景となる領域を除く領域に設けられている。
【００３１】
なお、遮光部材として、カーテン３３の他にプレート等を用いるようにしてもよい。
【００３２】
入り口２３を構成する短い側の側壁１３の端部の略中央領域には、垂直方向に第１の手摺り３４が設けられており、松葉杖をついた患者、車椅子に乗った患者等の身体障害者が入り口２３より撮影室１６内に入り易いようになっている。また、入り口２３を構成する長い側の他方の側壁１４の端部上方には、垂直方向に第２の手摺り３５が設けられ、例えば松葉杖をついた患者が入り口２３より撮影室１６内へ入り易いようになっている。更に、他方の側壁１４であって、操作部を構成する料金投入部２９と略同じ高さには、水平方向に第３の手摺り３６が設けられ、例えば椅子に座った被写体となる人や車椅子に乗った人が撮影位置の調整を容易に行うことができるようになっている。
【００３３】
なお、短い側の一方の側壁１３には、外面側に、プリンタ１８，１９で印刷された写真が排出される写真排出口３８が設けられている。
【００３４】
ところで、椅子２４は、図８乃至図１０に示すように、回動支持機構４０を介して長い側の他方の側壁１４に取り付けられている。この回動支持機構４０は、椅子２４が取り付けられる椅子取付け部材４１を有し、この椅子取付け部材４１は、一端部が他方の側壁１４に一体的に設けられた回動支持部４２に支軸４３を介して回動自在に取り付けられている。この椅子取付け部材４１には、椅子２４の直下に、椅子２４を支持する椅子支持部材４４が設けられている。この椅子支持部材４４は、被写体が椅子２４に座ったときに、椅子２４を支持するものであり、一端に、撮影室１６の床、すなわち設置面２に接する支持部４４ａが設けられており、他端が椅子取付け部材４１に支軸４５を介して回動自在に取り付けられている。なお、椅子２４には、一方の側壁１３側に椅子２４を回動操作するための取っ手２４ａが設けられている。取っ手２４ａは、短い側の一方の側壁１３側に設け、椅子２４の回動操作がし易くなるようになっている。
【００３５】
また、椅子取付け部材４１と椅子支持部材４４とは、リンク部材４６を介して接続されている。リンク部材４６は、一端が椅子支持部材４４の例えば椅子２４側に支軸４７により回動可能に取り付けられており、他端が椅子取付け部材４１に設けられたガイド孔４８に、該他端に設けられた係合突起４９を係合されている。リンク部材４６は、椅子２４を回動させるとき、椅子支持部材４４を、椅子２４の使用時に椅子２４を支持する支持位置、すなわち設置面２に対して略垂直な位置と椅子２４を片づけるときに椅子支持部材４４を他方の側壁１４と略平行な状態にし椅子２４を撮影室１６から待避させる待避位置とに亘って移動させるためのものである。すなわち、リンク部材４６は、椅子２４の使用時においては、係合突起４９がガイド孔４８の一端側にあり、椅子支持部材４４を設置面２に対して略垂直な状態にする（支持位置）。椅子が回動操作されると、係合突起４９は、ガイド孔４８に沿って他端側に移動する。これによって、椅子支持部材４４は、支軸４５を回動支点として一方に回動し、側壁１４や椅子２４と略平行な状態となる（待避位置）。
【００３６】
また、椅子取付け部材４１は、他方の側壁１４とダンパ５１で接続されている。ダンパ５１は、一端が支軸５２を介して椅子取付け部材４１に回動可能に支持され、他端が他方の側壁１４の回動支持部４２の下側に設けられた支持部５３の支軸５３ａに回動可能に支持されている。ダンパ５１は、椅子２４の回動操作するとき、緩やかに回動操作することができるようにしている。
【００３７】
更に、他方の側壁１３には、待避位置に椅子２４を保持するための保持機構５４が設けられている。保持機構５４は、他方の側壁１４に一体的に設けられた支持片５５に保持部材５６が取り付けられている。保持部材５６は、中途部で支軸５７によって支持片５５に回動可能に支持されており、一端側に、椅子２４を係止する係止突部５８が設けられ、他端側に、椅子２４が待機位置にあることを検出する検出部５９を押圧する押圧部６０が設けられている。また、保持部材５６は、他方の側壁１４に設けられた取付け片６１に取り付けられる付勢部材であるバネ６２の一端が取り付けられている。このバネ６２は、他端が保持部材５６の他端側に係止され、保持部材５６を、係止突部５８が椅子２４を係止する方向、すなわち下方に付勢する。
【００３８】
次に、以上のような回動支持機構４０の動作について説明すると、椅子２４が撮影室１６に広げられているとき、図８に示すように、リンク部材４６は、椅子２４の使用時においては、係合突起４９がガイド孔４８の一端側にあり、椅子支持部材４４は、設置面２に対して略垂直な状態となっており、椅子２４を支持した状態にある。撮影室１６に車椅子に乗った患者等が入るために椅子２４を片づける必要があるとき、椅子２４は、図９に示すように、患者が取っ手２４ａを持って回動操作される。椅子２４を図９中矢印Ａ方向に回動操作すると、リンク部材４６の係合突起４９は、次第にガイド孔４８の一端側から他端側に移動する。これによって、椅子支持部材４４は、支軸４５を回動支点として図９中矢印Ｂに回動する。そして、図１０に示すように、椅子２４を他方の側壁１４と略平行となすまで回動操作すると、椅子２４は、保持機構５４の保持部材５６の係止突部５８に係止される。これによって、椅子２４は、他方の側壁１４と略平行な待避位置に保持される。このとき、保持部材５６は、椅子２４に押されて、バネ６２の付勢力に抗して、支軸５７を回動支点としてとして回動する。また、このとき、椅子２４は、ダンパ５１によって緩やかに回動操作することができる。すると、保持部材５６の押圧部６０は、検出部５９を押圧する。これによって、検出部５９は、椅子２４が待避位置にあることを検出することができる。なお、保持部材５６は、バネ６２で係止突部５８が椅子２４を係止する方向に付勢されていることから、確実に椅子２４をロックし、待避位置に保持することができる。
【００３９】
なお、椅子２４を使用するときには、保持部材５６を支軸５７を回動支点として回動操作し、係止突部５８と椅子２４との係止状態を解除すればよい。これによって、椅子２４は、図９中反矢印Ａ方向に回動可能になり、椅子支持部材４４は、リンク部材４６の係合突起４９が次第にガイド孔４８の他端側から一端に移動することによって、待避位置から支持位置まで支軸４５を中心に図９中反矢印Ｂ方向に回動する。
【００４０】
次に、背面部１２に内蔵されたメイン基板２１等に組み込まれた制御回路について図１１を参照して説明すると、この制御回路７０は、装置の動作に必要なプログラムが記憶されるＲＯＭ（Read-Only Memory）７１と、装置の動作に必要なアプリケーションプログラム等が記憶されるハードディスク等からなるプログラム記憶部７２と、ＲＯＭ７１やプログラム記憶部７２に保存されているプログラムがロードされるＲＡＭ（Random-Access Memory）７３と、料金投入部２９より投入された金額等を判断し課金処理を行う課金処理部７４と、音声を出力する音声出力部７５と、音声データを可聴音として出力するスピーカ７６と、外部記憶装置が装着されるドライブ７７と、全体の動作を制御するＣＰＵ（Central Processing Unit）７８とを備え、これらは、バス７９を介して接続されている。また、このバス７９には、撮像部１７を構成する撮像装置１７ａ、照明器具２６，２７，２８、撮影室１６に被写体が入ったかどうかを検出する被写体検出部３２、椅子２４が待機位置にあることを検出する検出部５９等が接続されている。
【００４１】
次に、図１２を参照して、撮影装置１の動作を説明する。ステップＳ１において、ＣＰＵ７８は、椅子２４が待避位置にあるかどうか、すなわち椅子２４が他方の側壁１４と略平行な状態となっており、車椅子が撮影室１６に進入可能な状態にあるかどうかを判断する。具体的に、ＣＰＵ７８は、回動支持機構４０を構成する検出部５９が保持部材５６の押圧部６０に押圧されてオンとなったかを検出する。ＣＰＵ７８は、椅子２４が待避位置に無い、すなわち撮影室１６に設置された状態にあると判断したとき、ステップＳ２に進み、通常モード、すなわち被写体となる人が椅子２４に座って撮影するモードに移る。また、ＣＰＵ７８は、椅子２４が待避位置にあると判断したとき、ステップＳ９に進み、車椅子専用のモードに移る。車椅子専用のモードは、車椅子に乗った人は車椅子に乗っていない人に比べて撮影位置の位置決め等に時間がかかることから、撮影までの時間が長くなるようになっている。
【００４２】
通常のモードのとき、ステップＳ２において、ＣＰＵ７８は、ユーザが撮影位置についたかどうかを判断する。すなわち、被写体検出部３２は、赤外線センサ等で構成されており、被写体のなる人が椅子２４に座って膝を位置決め凹部３１に係合された撮影位置についているかを検出する。ＣＰＵ７８は、被写体検出部３２が撮影位置についていることを検出したとき、ステップＳ３に進み、検出していないときステップＳ２を繰り返す。
【００４３】
ステップＳ３において、ＣＰＵ７８は、音声出力部７５を介して料金を料金投入部２９に投入するようにアナウンスする。すなわち、音声出力部７５は、「料金をお入れください。」等のメッセージをスピーカ７６より可聴音で出力する。
【００４４】
これを受けて、被写体となる人は、料金投入部２９より必要な料金を投入する。このとき、料金投入部２９は、比較的手に届き易い位置に設けられていることから、被写体となる人は、椅子若しくは車椅子に座ったままの状態で、容易に料金を料金投入部２９に投入することができる。また、料金投入部２９は、一方の側壁１３側に設けられていることから、介護者も入り口２３より手を伸ばして容易に料金投入部２９より料金を投入することができる。
【００４５】
ステップＳ４において、ＣＰＵ７８は、料金投入部２９より所定金額が投入されたかどうかを判断する。具体的に、課金処理部７４は、料金投入部２９より投入された金額を判断し、不足しているときは金額の追加を求め、多いときには、おつりを算出し返金する。そして、課金処理部７４は、課金が完了したことをＣＰＵ７８に出力し、これによって、ＣＰＵ７８は、課金処理が終了したかを判断する。ＣＰＵ７８は、課金処理が終了していないとき、ステップＳ３に戻り、再度、料金を投入するように再アナウンスする。
【００４６】
ステップＳ６において、ＣＰＵ７８は、音声出力部７５を介して写真撮影を開始する旨をアナウンスする。例えば、音声出力部７５は、「これより写真撮影を開始します。」等のメッセージをスピーカ７６より可聴音で出力する。
【００４７】
所定時間が経過すると、ＣＰＵ７８は、ステップＳ６において、被写体の撮影を行う。ＣＰＵ７８は、撮像装置１７ａを駆動すると、この撮像装置１７ａは、取り込んだ光を光電変換し出力する。このとき、照明器具２６，２７，２８は、発光体を発光する。照明器具２６，２７は、被写体の左右斜め前方から光を被写体に光を照射するようにすることで、被写体の顔の額と顎との間、すなわち顔の上下で照明差が発生しないようにし、また、しわに影が発生しないように写真を撮ることができるようにする。また、照明器具２６，２７は、左右で照明差を設けて発光することから、柔らかな影を有する立体的な写真を撮ることができるようにする。
【００４８】
ステップＳ７において、ＣＰＵ７８は、音声出力部７５を介して写真撮影が終了した旨をアナウンスする。例えば、音声出力部７５は、「写真撮影を終了しました。」等のメッセージをスピーカ７６より可聴音で出力する。
【００４９】
ステップＳ８において、ＣＰＵ７８は、撮像装置１７ａのデータを第１のプリンタ１８若しくは第２のプリンタ１９に出力し、第１のプリンタ１８若しくは第２のプリンタ１９は、入力されたデータに基づいて印画紙に印刷をする。そして、第１のプリンタ１８若しくは第２のプリンタ１９は、画像を印刷した印画紙を写真排出口３８に排出する。
【００５０】
なお、ＣＰＵ７８は、ステップＳ１において、椅子２４が待避位置にあると判断したとき、車椅子の専用のモードとなり、ステップＳ９からステップＳ１４までの処理を行う。ステップＳ９からステップＳ１４までの処理は、上述したステップＳ２からステップＳ６までの処理と略同じであるため省略する。但し、ステップＳ１３は、ステップＳ１２の撮影開始のアナウンスから写真撮影を開始するまでの時間がステップＳ６の場合より長くなる。これは、車椅子に乗った者は、車椅子に乗っていない者と比べて写真撮影の準備に時間を要するためである。
【００５１】
また、ドライブ７７には、記録可能な追記型若しくは書換え型の光ディスク、光磁気ディスク、磁気ディスク、ＩＣカード等のリムーバル記録媒体８０を装着することができる。これら、リムーバル記録媒体８０には、例えば撮像部１７で撮影した被写体の画像データが保存される。リムーバル記録媒体８０に保存された画像データは、例えば他の情報処理装置を用いて読み出し、電子カルテ等の患者の顔写真として用いることができる。この患者の画像データは、リムーバル記録媒体８０を用いるほか、ＬＡＮ（Local Area Network）等のネットワークに接続された送受信部を介して上記他の情報処理装置に送信するようにしてもよい。更に、このドライブ７７は、ＲＯＭ型の光ディスク等のリムーバル記録媒体８０を装着し、本装置１を動作させるのに必要なアプリケーションプログラムをプログラム記憶部７２にインストールするのに用いるようにしてもよい。勿論、プログラム記憶部７２等にインストールするプログラムは、上記送受信部を介してダウンロードしてインストールするようにしてもよい。
【００５２】
以上のように構成された撮影装置１では、撮影室の床が設置面２と面一になっていることから、段差が無く、車椅子等に乗った患者も、車椅子等に乗ったまま撮影室１６に入ることができる。また、この撮影装置１は、病院等に設置されるものであり、健常者だけでなく車椅子に乗った者や松葉杖をついた者の利用することから、例えば入り口２３より撮影室１６に入るときに、一方の側壁１３等に当たってしまうことがあるが、この撮影装置１は、他方の側壁１４を一方の側壁１３より長く形成し、また、一方の側壁１３を転倒防止部材２２で設置面２に固定し、更には、天板１５を側壁１３，１４より比重の軽い材料で形成し、重心が下方に来るように組み立てられていることから、利用者が撮影室１６に入るときにぶつかって衝撃が加わったときにも、設置位置がずれたり転倒することを確実に防止することができる。更に、撮影室１６に入るときには、第１乃至第３の手摺り３４〜３６を使うことができることから、撮影室１６に入る作業を容易に行うことができると共に撮影位置の位置決めも容易に行うことができる。
【００５３】
また、この撮影装置１では、椅子２４を撮影室１６より待避させることができる。したがって、車椅子に乗った患者は、椅子２４を折り畳むことで、車椅子に乗ったまま撮影室１６に入ることができる。この椅子２４は、撮影室１６に設置されているとき、椅子支持部材４４で確実に支持され、患者等の被写体は、安定した状態で椅子２４に座ることができる。また、この椅子は、折り畳むとき、取っ手２４ａが短い側の一方の側壁１３側に設けられていることで、取っ手２４ａが入り口２３側に位置し、車椅子に乗った患者やこれを介護する介護者が容易に椅子２４を回動操作して折り畳むことができる。また、料金を支払うときおいて、料金投入部２９は、一方の側壁１３側、すなわち入り口２３の近くに設けられていることから、介護者が手を伸ばすだけで容易に料金を料金投入部２９に投入することができる。
【００５４】
また、撮影時において、撮影装置１は、照明器具２６，２７が被写体の左右斜め前方から光を被写体に光を照射することで、被写体の顔の額と顎との間、すなわち顔の上下で照明差が発生しないようにし、また、照明器具２６，２７は、しわに影を写りにくくすることができる。また、左右照明に照明差を設けることで、写真に柔らかな影を形成し立体的に被写体を写し出すことができる。
【００５５】
更に、撮影装置１は、椅子２４が回動操作されて他方の側壁１４と略平行な状態にされ、撮影室１６より待避させることができることで、車椅子の専用モードとなり、撮影開始のアナウンスから撮影までの時間を長くする。これによって、車椅子に乗った者は、通常、車椅子に乗っていない者と比べて写真撮影の準備に時間を要するが、ゆとりを持って写真撮影の準備をすることができる。
【００５６】
以上の例では、椅子２４を垂直方向に折り畳む例を説明したが、この椅子は、別の回動支持機構を用いて水平方向に回動操作できるようにしてもよい。すなわち、図１３及び図１４に示すように、この回動支持機構９０は、長い側の他方の側壁に垂直方向に設けられた支軸９１によって椅子取付け部材９２が回動支持されている。また、他方補の側壁１４には、支軸９１が設けられた位置から端部側に向かって水平方向に椅子２４と椅子取付け部材９２の逃げとなる切欠凹部９３が設けられている。
【００５７】
このような、回動支持機構９０では、椅子２４を水平方向に回動操作することで、椅子２４に座ることができる位置と椅子２４を撮影室１６から待避させる待避位置とに亘って操作することができ、これによって、上述した回動支持機構４０と同様な効果を得ることができる。
【００５８】
以上、病院等に設置される撮影装置１を例にとり説明したが、本発明は、これに限定されるものではなく、例えば街角等に設置される証明写真装置やゲームセンタ等に設置される装置に適用することもできる。これによって、街角やゲームセンタ等に設置された装置も、身体障害者にとって使いやすいものとなる。
【００５９】
【発明の効果】
本発明によれば、被写体検出部を位置決め凹部内に設け、膝が位置決め凹部に係合していない限り被写体を検出することができないことから、確実に撮影位置にある被写体を検出することができる。また、本発明によれば、撮影室を構成する側壁は、一方が他方より短く形成されていることから、撮影室に入るための入り口を大きくすることができると共に、撮影室の床を設置面と略面一となすように形成されることから、車椅子等に乗った者も容易に撮影室に入って写真撮影を行うことができる。
【図面の簡単な説明】
【図１】本発明を適用した撮影装置を正面側から見た斜視図である。
【図２】上記撮影装置を背面側から見た斜視図である。
【図３】上記撮影装置の透視平面図である。
【図４】撮影室に設けられた左右一対の照明器具を説明する平面図である。
【図５】従来の方法、すなわち被写体を正面斜め上方から照射して撮影した写真を説明する図である。
【図６】図４に説明する照明器具を用いて被写体を左右斜め前方から照射して撮影した写真を説明する図である。
【図７】上記撮影装置を正面側から見た図であって、カーテンを閉めた状態を説明する図である。
【図８】椅子を回動支持する回動支持機構を説明する図であり、（Ａ）は、その平面図、（Ｂ）は、その正面図、（Ｃ）は側面図である。
【図９】上記回動支持機構が椅子を跳ね上げる途中を説明する側面図である。
【図１０】上記椅子が片づけられた状態を説明する平面図である。
【図１１】上記撮影装置の制御回路を説明するブロック図である。
【図１２】上記制御回路の動作を説明するフローチャートである。
【図１３】上記回動支持機構の他の例を説明する平面図である。
【図１４】上記回動支持機構の他の例を説明する側面図である。
【図１５】従来の撮影装置を説明する側面図である。
【符号の説明】
１  撮影装置、２  設置面、１１  筐体、１２  背面部、１３  一方の側壁、１４  他方の側壁、１５  天板、１６ａ  第１の面、１６ｂ  第２の面、１６ｃ  第３の面、１７  撮像部、１７ａ  撮像装置、１７ｂ  ハーフミラー、１７ｃ  反射板、１８，１９  プリンタ、２２  転動防止部材、２３  入口、２４  椅子、２４ａ  取っ手、２９  料金投入部、３１  位置決め凹部、３２  被写体検出部、３３  カーテン、３３ａ  スリット、３４  第１の手摺り、３５  第２の手摺り、３６  第３の手摺り、４０  回動支持機構、４１  椅子取付部材、４２  回動支持部、４４  椅子支持部材、４６  リンク部材、４８  ガイド孔、４９  係合突起、５１  ダンパ、５４  保持機構、５６  保持部材、５８  係止突部、５９  検出部、６０  押圧部、７０  制御回路
【図１】
0004085677.tif 000002
【図２】
0004085677.tif 000003
【図３】
0004085677.tif 000004
【図４】
0004085677.tif 000005
【図５】
0004085677.tif 000006
【図６】
0004085677.tif 000007
【図７】
0004085677.tif 000008
【図８】
0004085677.tif 000009
【図９】
0004085677.tif 000010
【図１０】
0004085677.tif 000011
【図１１】
0004085677.tif 000012
【図１２】
0004085677.tif 000013
【図１３】
0004085677.tif 000014
【図１４】
0004085677.tif 000015
【図１５】
0004085677.tif 000016